(57)【要約】      （修正有）【課題】光源を具え、照射する光線が他者の目を刺激することなく、交通安全に影響を与えない光線を照射して補助灯としての効果が得られるとともに、好ましい外観が得られる発光装置を具える自動車用ラジエターグリルを提供する。【解決手段】ベース座１０と、ＬＥＤバー２０と、カバー３０とによってなる発光装置をラジエターグリルに設けてなり、該ベース座１０は一端に孔部１２を穿設し、該ＬＥＤバー２０は該ベース座１０と該カバー３０との間に設けられ、かつ一端には該ベース座１０の該孔部１２から自動車の電源に延伸して接続する電源線２２を設け、該カバー３０は光透過性の材質によってなり、該ベース座１０を覆うように設けられるとともに、表面にスパッタリング膜３１を形成してなる。【選択図】図１
0003198701.tif 000002
【実用新案登録請求の範囲】
【請求項１】
ベース座と、ＬＥＤバーと、カバーとによってなる発光装置をラジエターグリルに設けてなり、該ベース座は一端に孔部を穿設し、該ＬＥＤバーは該ベース座と該カバーとの間に設けられ、かつ一端には該ベース座の該孔部から自動車の電源に延伸して接続する電源線を設け、該カバーは光透過性の材質によってなり、該ベース座を覆うように設けられるとともに、表面にスパッタリング膜を形成してなることを特徴とする発光装置を具える自動車用ラジエターグリル。
【請求項２】
前記ベース座の正面側に取付け溝を形成し、かつ該孔部を該取付け溝の一端に穿設し、該ＬＥＤバーを該取付け溝に設け、該ＬＥＤバーの該電源線を該孔部から自動車の電源に延伸させて接続してなることを特徴とする請求項１に記載の発光装置を具える自動車用ラジエターグリル。
【請求項３】
前記ベース座の該取付け溝にリブ板を設け、該ＬＥＤバーの背面に接着剤を塗布して該リブ板の側壁に貼着することを特徴とする請求項２に記載の発光装置を具える自動車用ラジエターグリル。
【請求項４】
前記カバーの表面に形成する該スパッタリング膜の膜厚が０.１μｍから１μｍの範囲であることを特徴とする請求項１、もしくは請求項２に記載の発光装置を具える自動車用ラジエターグリル。
【請求項５】
前記ベース座が係合部材、もしくは締結部材で格子状ラジエターグリルに取付けられることを特徴とする請求項１、もしくは請求項２に記載の発光装置を具える自動車用ラジエターグリル。
【考案の詳細な説明】
【技術分野】
【０００１】
この考案は、自動車のラジエターをカバーするラジエターグリルに関し、特に発光装置を具える自動車のラジエターグリルに関する。
【背景技術】
【０００２】
一般に自動車は、そのほとんどはエンジンルーム前方に格子状のラジエターグリルを設ける。ラジエターグリルを設ける目的はラジエターを保護するとともに、大量の空気をエンジンルーム内に導いてラジエターの放熱を行い、空気の流れでエンジンルーム内の温度を下げることにある。
【０００３】
近年、自動産業がますます発展を遂げるにつれて、自動車の設計は性能能向上を重視するのみならず、全体的な外観の整合性も重視されるようになった。ラジエターグリルは自動車の前端に位置するため、メーカー、もしくは車種を象徴するエンブレムを設けることが常である。よって、自動車の全体的な外観から見れば、最も目を引く箇所となり、深い印象を与える。このため、多くの自動車メーカーは、本来黒色であった格子状のラジエターグリルをメッキしたモール材で装飾して外観をより好ましいものにするようになった。
【０００４】
また、デザインを重視することから、ＬＥＤランプをラジエターグリルに設けて補助灯とするものもある。但し、ＬＥＤランプを直接ラジエターグリルに取付けても、美観が向上するとは限らない。しかも、極めて強い光線が直接外方向に照射されるため、対向車の運転手、もしくは歩行車の目を刺激する情況が容易に発生して逆効果となり、間接的に交通安全に影響を与えることになる。
【考案の概要】
【考案が解決しようとする課題】
【０００５】
この考案は、光源を具え、照射する光線が他者の目を刺激することなく、交通安全に影響を与えない光線を照射して補助灯としての効果が得られるとともに、好ましい外観が得られる発光装置を具える自動車用ラジエターグリルを提供することを課題とする。
【課題を解決するための手段】
【０００６】
そこで、本考案者は従来のラジエターグリルに見られる欠点に鑑み鋭意研究を重ねた結果、ベース座と、ＬＥＤバーと、光透過性の材質によってなり、かつ表面にスパッタリング膜を形成したカバーとによってなる発光装置と、該発光装置を設けたラジエターグリルとによって課題を解決できる点に着眼し、係る知見に基づいて本考案を完成させた。
【０００７】
以下この考案について説明する。請求項１に記載する発光装置を具える自動車用ラジエターグリルは、ベース座と、ＬＥＤバーと、カバーとによってなる発光装置と、該発光装置を設けたラジエターグリルとによってなり、該ベース座は一端に孔部を穿設してなり、該ＬＥＤバーは該ベース座と該カバーとの間に設けられ、かつ一端には該ベース座の該孔部から自動車の電源に延伸して接続する電源線を設け、該カバーは光透過性の材質によってなり、該ベース座を覆うように設けられるとともに、表面にスパッタリング膜を形成してなる。
【０００８】
請求項２に記載する発光装置を具える自動車用ラジエターグリルは、請求項１におけるベース座の正面側に取付け溝を形成し、かつ該口部を該取付け溝の一端に穿設し、該ＬＥＤバーを該取付け溝に設け、該ＬＥＤバーの該電源線を該孔部から自動車の電源に延伸させて接続してなる。
【０００９】
請求項３に記載する発光装置を具える自動車用ラジエターグリルは、請求項２におけるベース座の該取付け溝にリブ板を設け、該ＬＥＤバーの背面に接着剤を塗布して該リブ板の側壁に貼着する。 
【００１０】
請求項４に記載する発光装置を具える自動車用ラジエターグリルは、請求項１、もしくは請求項２に記載するカバーの表面に形成する該スパッタリング膜の膜厚が０.１μｍから１μｍの範囲である。
【００１１】
請求項５に記載する発光装置を具える自動車用ラジエターグリルは、請求項１、もしくは請求項２に記載するベース座が係合部材、もしくは締結部材で格子状ラジエターグリルに取付けられる。
【図面の簡単な説明】
【００１２】
【図１】この考案における発光装置の構造を示した分解図である。
【図２】図１に開示する発光装置の斜視図である。
【図３】図１に開示する発光装置の局部拡大説明図である。
【図４】この考案のラジエターグリルの使用態様を示した説明図である。
【考案を実施するための形態】
【００１３】
この考案は、光源を具え、照射する光線が他者の目を刺激することなく、交通安全に影響を与えない光線を照射して補助灯としての効果が得られるとともに、好ましい外観が得られる発光装置を具える自動車用ラジエターグリルルを提供するものであって、ベース座と、ＬＥＤバーと、光透過性の材質によってなり、かつ表面にスパッタリング膜を形成したカバーとによってなる発光装置をラジエターグリルに設けて。係る発光装置を具える自動車用ラジエターグリルの構造と特徴を説明するために、具体的な実施例を挙げ、図面を参照にして以下に詳述する。
【実施例】
【００１４】
この考案による発光装置を具える自動車用ラジエターグリルは、図１から図３に開示するように、ベース座１０と、複数のＬＥＤランプを設けたＬＥＤバー２０と、カバー３０とによって発光装置を構成し、該発光装置を格子状ラジエターグリル４０に設けてなる。ベース座１０の外観は、自動車の全体的な外観の整合を考慮し、必要とする様式に形成する。実施例においてはベース座１０をＵ字状に形成する。
【００１５】
ベース座１０の正面側には、ベース座１０の形状に沿って取付け溝１１を形成し、かつ取付け溝１１の両端にはそれぞれ孔部１２を穿設するとともに、取付け溝１１内にリブ板１３を突設する。
【００１６】
ＬＥＤバー２０は既存の技術によって構成される従来の部材であって、複数の直列したＬＥＤチップ２１によってなり、一端から電源線２２が伸出する。ＬＥＤバー２０の発光は、自動車の供給する電源を用いる。また、実施例においてＬＥＤバー２０の背面には接着剤を塗布し、ベース座１０の形状に沿ってＬＥＤバー２０をリブ板１３の側壁に貼着し、かつ図３に開示するように取付け溝１１の一端に穿設した孔部１２から電源線２２を自動車の電源に接続する。
【００１７】
カバー３０は、例えばアクリル、ポリカーボネートなどの光透過性の材質によってなり、ベース座１０を覆うように取り付ける。また、カバー３０はスパッタリングによって表面に、膜厚が０.１μｍから１μｍの範囲のスパッタリング膜３１を形成する。係る厚さの範囲によれば、カバー３０に高級感を有するメッキ効果を付与することができ、ＬＥＤバー２０を内部に設けることによって、ＬＥＤバー２０の光線が内側から透き通るように照射され、使用上最も好ましい効果が得られる。
【００１８】
また、他の実施の形態として、ベース座１０に取付け溝１１を形成することなく、かつリブ板１３を突設することなく、カバー３０のベース座１０の内側の面に取り付溝１１を形成し、リブ板１３を突設してもよい。この場合、同様にベース座１０の両端に孔部１２を穿設して電源線を通す。
ＬＥＤバー２０は、同様にカバー３０の取付け溝１１のリブ板１３に設けて、カバー３０をベース座１０に取付ける。係る構成であっても同様の発光の効果が得られ、この考案の実施の範囲に属する。
【００１９】
図４に、この考案によるラジエターグリルの使用態様を開示する。発光装置はベース座１０の背面に係合部材、もしくは締結部材などを設けて自動車の正面の格子状のラジエターグリル４０に取付け、ベース座１０後方に延伸する電源線２２を自動車の電源に接続して、取付けを完成させる。
【００２０】
この考案による発光装置を具えるラジエターグリルは、該発光装置のＬＥＤバー２０が発光していない場合は、カバー３０の表面のスパッタリング膜３０の効果によって鏡面効果が得られ、ＬＥＤバー２０は内部に隠される。よって、カバー３０の外観が全体との整体性を有し。かつ高級感が得られる。また、ＬＥＤバー２０が通電すると、カバー３０を通過して内設されたＬＥＤバー２０の光線が外部に照射され、高い視認性と警告効果が得られる。また、照射される光線は柔和であって、外部に強い光線を照射しない。このため対向車の運転者、もしくは歩行者の目を刺激することがなく、大幅に交通安全を高めることができる。即ち、科学技術を応用した高級感の溢れる、かつ安全性を兼ね備えたラジエターグリルが得られる。
【符号の説明】
【００２１】
１０               ベース座
１１               取付け溝
１２               孔部
１３               リブ板
２０               ＬＥＤバー
２１               ＬＥＤチップ
２２               電源線
３０               カバー
３１               スパッタリング膜
４０               ラジエターグリル
【図１】
0003198701.tif 000003
【図２】
0003198701.tif 000004
【図３】
0003198701.tif 000005
【図４】
0003198701.tif 000006